【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
デバイス・メモリ（３８）を有し、インタフェース（１４）を介してユーザー・モジュール（１２）に接続されているモバイル機器（１０）、特に携帯電話または携帯情報端末にユーザー・データ（４８）を格納し、該機器（１０）の該データ（４８）にアクセスする方法であって、
前記ユーザー・データ（４８）を、少なくとも一部が暗号化された形で前記モバイル機器（１０）のデバイス・メモリ（３８）に格納する方法において、
アクセス操作において、少なくとも前記ユーザー・データ（４８）の復号を、前記ユーザー・モジュール（１２）によって提供され、少なくとも一部が該ユーザー・モジュール（１２）のプロセッサー・ユニット（５０）によって実行される復号化機能（６６）によって実行する
ことを特徴とする方法。
【請求項２】
格納操作において、前記ユーザー・データ（４８）の暗号化を、前記ユーザー・モジュール（１２）の暗号化機能（６４）によって実行することを特徴とする請求項１記載の方法。
【請求項３】
前記ユーザー・モジュール（１２）が、該モジュール（１２）の暗号化および復号化機能（６４、６６）、および該機能（６４、６６）によって使用されるキー・データ（６０）を格納するモジュール・メモリ（５２）を有し、該機能（６４、６６）の少なくとも一部を前記ユーザー・モジュール（１２）のプロセッサー・ユニット（５０）によって実行することを特徴とする請求項１または２記載の方法。
【請求項４】
前記ユーザー・モジュール（１２）が、前記キー・データ（６０）の生成および前記モジュール・メモリ（５２）への書込みを行うための少なくとも１つの機能（６８）を備えていることを特徴とする請求項３記載の方法。
【請求項５】
少なくとも前記復号化機能（６６）の実行が、パスワードおよび/または生体認証によって保護されていることを特徴とする請求項１〜４いずれか１項記載の方法。
【請求項６】
前記モバイル機器（１０）が、通信機能もセットアップされている機器であることを特徴とする請求項１〜５いずれか１項記載の方法。
【請求項７】
前記ユーザー・モジュール（１２）が、通信ネットワーク（１８）にログインする機能も有する加入者識別モジュールであることを特徴とする請求項１〜６いずれか１項記載の方法。
【請求項８】
少なくとも一部が暗号化されたユーザー・データ（４８）を格納するための少なくとも１つの領域を有するデバイス・メモリ（３８）およびユーザー・モジュール（１２）を接続するためのインタフェース（１４）を備えるモバイル機器（１０）、特に携帯電話または携帯情報端末であって、
前記モバイル機器（１０）が、アクセス操作において、少なくとも前記ユーザー・データ（４８）を復号する際に、前記ユーザー・モジュール（１２）によって提供され、少なくとも一部が該ユーザー・モジュール（１２）のプロセッサー・ユニット（５０）によって実行される復号化機能（６６）を用いるようセットアップされていることを特徴とするモバイル機器（１０）。
【請求項９】
プロセッサー・ユニット（５０）を有し、インタフェース（１４）を介し、少なくとも一部が暗号化されたユーザー・データ（４８）を格納するための少なくとも１つの領域を有するデバイス・メモリ（３８）を備えたモバイル機器（１０）、特に携帯電話または携帯情報端末に接続されるようセットアップされているユーザー・モジュール（１２）、特に通信ネットワーク（１８）の加入者識別モジュールであって、
前記ユーザー・モジュール（１２）が、アクセス操作において、少なくとも前記ユーザー・データ（４８）が復号される際に、前記インタフェース（１４）を介し、少なくとも一部が該ユーザー・モジュール（１２）のプロセッサー・ユニット（５０）によって実行される復号化機能（６６）を前記モバイル機器（１０）に提供するようセットアップされていることを特徴とするユーザー・モジュール（１２）。
【請求項１０】
アプリケーション・プログラム（４６）を格納するためのデバイス・メモリ（３８）を有し、インタフェース（１４）を介して、モジュール・メモリ（５２）を有するユーザー・モジュール（１２）に接続されているモバイル機器（１０）、特に携帯電話または携帯情報端末に構成データ（６２）を格納する方法、該機器（１０）の該データ（６２）にアクセスする方法、および少なくとも１つの該プログラム（４６）を実行する方法であって、
前記構成データ（６２）が、
少なくとも前記アプリケーション・プログラム（４６）、または該プログラム（４６）の個別機能のアベイラビリティに関わり、
該構成データ（６２）を前記モジュール・メモリ（５２）に格納し、前記アプリケーション・プログラム（４６）の実行の可否または範囲を判定する際、該メモリ（５２）から読み出す
ことを特徴とする方法。
【請求項１１】
前記モジュール・メモリ（１２）からの前記構成データの読出しが、パスワードおよび/または生体認証によって保護されていることを特徴とする請求項１０記載の方法。
【請求項１２】
少なくとも前記アプリケーション・プログラム（４６）のパーツが、前記構成データ（６２）に基づいて、前記デバイス・メモリ（３８）にロードされることを特徴とする請求項１０または１１記載の方法。
【請求項１３】
前記モバイル機器（１０）が、通信機能もセットアップされている機器であることを特徴とする請求項１０〜１２いずれか１項記載の方法。
【請求項１４】
少なくとも前記アプリケーション・プログラム（４６）のパーツが、前記モバイル機器（１０）の少なくとも１つの通信機能によって、前記デバイス・メモリ（３８）に転送されることを特徴とする請求項１２または１３記載の方法。
【請求項１５】
前記ユーザー・モジュール（１２）が、通信ネットワーク（１８）にログインする機能も有する加入者識別モジュールであることを特徴とする請求項１０〜１４いずれか１項記載の方法。
【請求項１６】
請求項１〜５いずれか１項記載の方法の特徴を更に有して成ることを特徴とする請求項１０〜１５いずれか１項記載の方法。
【請求項１７】
アプリケーション・プログラム（４６）を格納するためのデバイス・メモリ（３８）を有し、インタフェース（１４）を介して、モジュール・メモリ（５２）を有するユーザー・モジュール（１２）に接続されているモバイル機器（１０）、特に携帯電話または携帯情報端末であって、
少なくとも前記アプリケーション・プログラム（４６）、または該プログラム（４６）の個別機能のアベイラビリティに関わる前記構成データ（６２）が、前記インタフェース（１４）を介して、前記モジュール・メモリ（５２）から呼出し可能であり、
該メモリ（５２）から呼び出された前記構成データ（６２）に基づき、前記アプリケーション・プログラム（４６）の実行の可否および範囲を判定するようセットアップされている
ことを特徴とするモバイル機器（１０）。
【請求項１８】
ユーザー・モジュール（１２）と連携し、請求項１０〜１６いずれか１項記載の方法を実行するようセットアップされていることを特徴とする請求項１７記載のモバイル機器（１０）。
【請求項１９】
モジュール・メモリ（５２）を有し、インタフェース（１４）を介し、アプリケーション・プログラム（４６）を格納するためのデバイス・メモリ（３８）を備えたモバイル機器（１０）、特に携帯電話または携帯情報端末に接続されるようセットアップされているユーザー・モジュール（１２）、特に通信ネットワーク（１８）の加入者識別モジュールであって、
構成データ（６２）が少なくとも前記アプリケーション・プログラム（４６）、または該プログラム（４６）の個別機能のアベイラビリティに関わり、
前記ユーザー・モジュールが（１２）が、前記構成データ（６２）を前記モジュール・メモリ（５２）に格納し、前記モバイル機器（１０）が前記アプリケーション・プログラム（４６）の実行の可否または範囲を判定するために、前記インタフェース（１４）を介して該構成データ（６２）を読み出すことができるよう構成されていることを特徴とするユーザー・モジュール（１２）。